(57)【要約】【課題】セラミック製の時計ケースを使用しても、時計ケースと時計バンド間に隙間が存在しない時計ケースとバンドの取付構造を提供する。【解決手段】オネジ２１の先端の傾斜部２１ａを、取付部材１３のメネジ部２０を通過させて、エンドピース部材１９の空間部１９ａ内壁の受孔部２２まで通す。この状態で、受孔部２２の孔中心よりもオネジ２１の軸中心が、時計ケース１０の突部１１側に有るように設定しているため、オネジ２１先端の傾斜部２１ａがエンドピース部材１９の受孔部２２の傾斜面２２ａに当接かつ圧接する。よって、時計バンドを保持するエンドピース部材１９の側端部１９ｃが時計ケース１０の側壁１０ａに圧接し、両者の接続部分に隙間が生じない。【選択図】図５
0003173930.tif 000002
【実用新案登録請求の範囲】
【請求項１】
側部に一体成型された突部を有するセラミック製の時計ケースと、
前記突部に形成された貫通孔と、
前記突部に嵌られる嵌着部及びバンドの端部が取り付けられるバンド取付部が形成された取付部材と、
前記取付部材に形成された貫通孔と、
前記突部の貫通孔と前記取付部材の貫通孔とを貫通して嵌挿される取付ピンと、
前記バンド取付部を除き前記取付部材と前記突部との略全周を覆い、かつ内部に形成された空間部の一方側部に貫通孔が形成されたセラミック製のエンドピース部材と、
前記取付部材の平面部に貫通して設けられたメネジ部と、
先端に傾斜部が形成され、前記メネジ部に螺入されるオネジと、
前記エンドピース部材の前記空間部の他方側部における内側に形成され、内面に傾斜面が形成された受孔部と、を備え、
前記受孔部の孔中心よりも前記オネジの軸中心が前記時計ケースの突部側に有るように設定し、
前記オネジを前記エンドピース部材の前記貫通孔から前記取付部材のメネジ部に螺入し、
前記メネジ部から前記オネジの前記先端の傾斜部を突出させて、前記エンドピース部材の前記受孔部の傾斜面に当接かつ圧接し、
前記エンドピース部材の側端部を前記時計ケースにおける前記突部周部の側壁に圧接してなることを特徴とする時計ケースとバンドの取付構造。
【考案の詳細な説明】
【技術分野】
【０００１】  本考案は、時計ケースと該時計ケースの側壁部分に取り付けられる時計バンドとにおいて、両者の接合部分における隙間を少なくするための構造に関するものであり、特にセラミック製の時計ケースとバンドの取付構造に関する。
【背景技術】
【０００２】  従来、時計ケースの側壁と、この側壁に接するように取り付けられる時計バンドの端部との間に大きな隙間が発生しないように工夫がなされてきている。特に、高級品といわれる腕時計では、時計ケースと時計バンド間に隙間が存在すると、外観デザインを低下させて好ましくない。【０００３】  特許文献１，２に記載されているように、従来、前記隙間を極力少なくするための時計ケースと時計バンドの取付構造に関する各種の考案が提案され実施されてきている。しかし、特許文献１，２が出願された時点では、時計ケースと時計バンドのほとんどが金属製のものであって、ケースとバンドとの取付構造を構成する各部材も金属製であるため、それらの加工は容易であった。【０００４】  ところが現在では、腕時計には多種多様な材質の部材が用いられるようになってきており、例えば、高級品の腕時計には、時計ケースと時計バンドの少なくとも外観に表れる部分をセラミック製のものにし、時計全体がセラミックで形成されているようにして、外観デザイン上、独自の風合いを呈するようにしたものが市販されている。【０００５】  前記セラミック製の腕時計は高級感を呈するものの、セラミック自体の特性である加工性が悪いという製造上の問題がある。このため、セラミック製の時計ケース及び時計バンドの製造において、セラミック部品の一部に単純な加工のみ行うようにし、内部の各部位において種々の工夫がなされてきた。
【先行技術文献】
【特許文献】
【０００６】
【特許文献１】実公平３−２１７８号公報
【特許文献２】実開昭６３−１９３１２号公報
【考案の概要】
【考案が解決しようとする課題】
【０００７】  従来のセラミック製の腕時計において、時計ケースの外形部分のみにセラミック製の部品を用い、ケースを構成する部品の一部に金属製部材、例えば金属製の内部フレームを用い、該内部フレームに連結・結合部分を形成することで部品加工を容易にしているものもある。【０００８】  例えば、図６に示す時計ケースを裏側から見た斜視図のように、金属製の内部フレーム１と一体成型した突部２にネジ加工や孔加工などの加工を施し、この内部フレーム１にセラミック製の裏蓋３を覆い被せ、この内部フレーム１を介して裏蓋３と、時計バンドとの連結部に設けられるセラミック製のエンドピース４とをネジ止めしてなる構成のものがある。【０００９】  図６に示す構造例では、止めネジ５を用いて内部フレーム１にエンドピース４を止め、エンドピース４を内部フレーム１の側壁に接合・固定するようにする。内部フレーム１にはガラス６を接着剤にて固着すると共に、固定ネジ７にて内部フレーム１の周部を覆う裏蓋３を固定する。【００１０】  上記のように、従来では金属製の内部フレーム１を用いることにより、時計バンドとの連結構造の製造を容易にしていた。しかし、時計ケース全体をセラミック製にし、従来の内部フレーム１を使用しないようにする要請があり、それがひとつの技術課題となっていた。その場合には時計ケースと時計バンドとの連結構造に工夫が必要になり、なおかつ、時計ケースと時計バンド間に隙間が存在しないようにするために、さらなる工夫が必要となる。【００１１】  そこで本考案は、前記従来の課題を解決し、セラミック製の時計ケースを使用しても、時計ケースと時計バンド間に隙間が存在しないようにした時計ケースとバンドの取付構造を提供することを目的とする。
【課題を解決するための手段】
【００１２】  本考案の時計ケースとバンドの取付構造は、側部に一体成型された突部を有するセラミック製の時計ケースと、前記突部に形成された貫通孔と、前記突部に嵌られる嵌着部及びバンドの端部が取り付けられるバンド取付部が形成された取付部材と、前記取付部材に形成された貫通孔と、前記突部の貫通孔と前記取付部材の貫通孔とを貫通して嵌挿される取付ピンと、前記バンド取付部を除き前記取付部材と前記突部との略全周を覆い、かつ内部に形成された空間部の一方側部に貫通孔が形成されたセラミック製のエンドピース部材と前記取付部材の平面部に貫通して設けられたメネジ部と、先端に傾斜部が形成され、前記メネジ部に螺入されるオネジと、前記エンドピース部材の前記空間部の他方側部における内側に形成され、内面に傾斜面が形成された受孔部と、を備え、前記受孔部の孔中心よりも前記オネジの軸中心が前記時計ケースの突部側に有るように設定し、前記オネジを前記エンドピース部材の前記貫通孔から前記取付部材のメネジ部に螺入し、前記メネジ部から前記オネジの前記先端の傾斜部を突出させて、前記エンドピース部材の前記受孔部の傾斜面に当接かつ圧接し、前記エンドピース部材の側端部を前記時計ケースにおける前記突部周部の側壁に圧接してなることを特徴とする。
【考案の効果】
【００１３】  本考案の時計ケースとバンドの取付構造によれば、時計ケース全体をセラミック製のものにして、時計ケース内部には従来のような内部フレームを用いずに、時計ケースの外部に設ける取付部材によりバンドとの連結を行う。これにより、時計全体がセラミック製のものとして明瞭に視認されることになる。【００１４】  しかも、時計バンド端部が配設されるセラミック製のエンドピース部材を、オネジを用いて時計ケースに当接かつ圧接することができる。このため、時計全体として時計ケースと時計バンドとの接続部分に隙間が生じないようにすることができる。
【図面の簡単な説明】
【００１５】
【図１】本考案に係る時計ケースとバンドの取付構造の実施形態における要部を裏面から示す分解斜視図である。
【図２】本実施形態の組立手順を説明するための斜視図である。
【図３】本実施形態の組立後の裏面状態を示す斜視図である。
【図４】本実施形態の組立後の表面状態を示す斜視図である。
【図５】本実施形態の組立後の要部を示す断面図である。
【図６】従来の時計ケースとバンドの取付構造の一例を示す斜視図である。
【考案を実施するための形態】
【００１６】  以下、本考案の好適な実施形態を図面に基づいて説明する。
【００１７】  図１において、１０は、側部に一体成型された突部１１を有するセラミック製の時計ケースであり、突部１１に貫通孔１２が形成されている。１３は、前記突部１１に嵌られる嵌着部１４と時計バンド（図示せず）の端部が取り付けられるバンド取付部１５が形成された金属製の取付部材であり、嵌着部１４とバンド取付部１５には貫通孔１７ａ，１７ｂが形成されている。
【００１８】  １８は、時計ケース１０の突部１１における貫通孔１２と、取付部材１３の嵌着部１４における貫通孔１７ａとを貫通するように設けられる取付ピンである。１９は、後述するように、バンド取付部１５を除き取付部材１３と時計ケース１０の突部１１との略全周を覆い、かつ内部に形成された空間部１９ａの一方側部（図１では上側部）に貫通孔１９ｂが形成されたセラミック製のエンドピース部材である。
【００１９】  ２０は前記取付部材１３の平面部に貫通して設けられたメネジ部、２１は先端に傾斜部２１ａが形成され、前記メネジ部２０に螺入されるオネジ、２２は、エンドピース部材１９の空間部１９ａの他方側部（図１では下側部）における内側に形成され、内面に傾斜面（後で詳述する）が形成された受孔部である。
【００２０】  また、２３は、セラミック製の時計ケース１０及びエンドピース部材１９と同様にセラミック製により成型され、時計ケース１０の裏面側開口部を覆う裏蓋、２４は時計ケース１０の表面側開口部を覆う透明のガラス体である。
【００２１】  図２〜図４を参照して本実施形態の組立について説明する。
【００２２】  先ず、時計ケース１０の突部１１に取付部材１３の嵌着部１４を嵌め、取付ピン１８を、時計ケース１０の突部１１における貫通孔１２と、取付部材１３の嵌着部１４における貫通孔１７ａとに貫通する。この状態で取付ピン１８により時計ケース１０に取付部材１３が保持される。
【００２３】  次に、エンドピース部材１９を、バンド取付部１５を除き取付部材１３と時計ケース１０の突部１１との略全周を覆うように装着し、エンドピース部材１９の空間部１９ａから取付部材１３のバンド取付部１５を露出させる。
【００２４】  図２に示すように、時計ケース１０にエンドピース部材１９を装着した状態で、エンドピース部材１９のメネジ部２０にオネジ２１を螺入する。後述するが、オネジ２１の先端の傾斜部２１ａはメネジ部２０を通って、エンドピース部材１９の空間部１９ａの下側部に形成された受孔部２２に至る。
【００２４】  図３は組立完成時の状態を時計ケース１０の裏面側から示し、図４は組立完成時の状態を時計ケース１０の表面側から示しており、エンドピース部材１９から取付部材１３のバンド取付部１５が側部から露出しており、公知のようにバンド取付部１５に図示しない時計バンドが取り付けられる。
【００２５】  図５は組立完成時の状態における断面図であって、各部が保持／固定状態にあり、取付ピン１８は、時計ケース１０と取付部材１３とを連結した状態でエンドピース部材１９の内側壁によって抜け出さないように保持される。
【００２６】  また、オネジ２１の先端の傾斜部２１ａは、取付部材１３のメネジ部２０を通って、エンドピース部材１９の空間部１９ａ内壁の受孔部２２に達する。このとき、本実施形態では、受孔部２２の孔中心よりもオネジ２１の軸中心が、時計ケース１０の突部１１側に有るように設定しているため、オネジ２１の先端の傾斜部２１ａがエンドピース部材１９の受孔部２２の傾斜面２２ａに当接かつ圧接する。
【００２７】  これにより、図５に示すように、エンドピース部材１９の側端部１９ｃが時計ケース１０の突部１１周部の側壁１０ａに圧接することになり、時計バンドがエンドピース部材１９に設けられた状態において、時計ケースと時計バンドとの接続部分に隙間が生じないように、各部を保持することができる。
【００２８】  なお、前記実施形態における各部材の形状あるいは設置数などは、前記説明のものに限定されず、実際の実施においては、その使用形態／仕様などにより適宜選択して決定する必要がある。
【産業上の利用可能性】
【００２９】  本考案は、セラミック材により成形された時計ケース及び時計バンドからなる構成のものに実施して有用である。
【符号の説明】
【００３０】１０  セラミック製の時計ケース
１０ａ  時計ケースの側壁
１１  時計ケースの突部
１２  突部の貫通孔
１３  金属製の取付部材
１４  取付部材の嵌着部
１５  取付部材のバンド取付部
１７ａ  嵌着部の貫通孔
１７ｂ  バンド取付部の貫通孔
１８  取付ピン
１９  セラミック製のエンドピース部材
１９ａ  エンドピース部材の空間部
１９ｂ  エンドピース部材の貫通孔
１９ｃ  エンドピース部材の側端部
２０  取付部材のメネジ部
２１  オネジ
２１ａ  オネジの傾斜部
２２  エンドピース部材の受孔部
２２ａ  受孔部の傾斜面
２３  セラミック製の裏蓋
２４  ガラス体
【図１】
0003173930.tif 000003
【図２】
0003173930.tif 000004
【図３】
0003173930.tif 000005
【図４】
0003173930.tif 000006
【図５】
0003173930.tif 000007
【図６】
0003173930.tif 000008